(57)【要約】【課題】複数の表示部に表示される表示内容を適切に制御して、ユーザーの利便性を損なうことなく、かつ電力消費を低減する。【解決手段】電子装置は、第１の表示面を備える第１の表示部１０２と、第１の表示面に対して該第１の表示面との位置関係を変更可能な第２の表示面を備える第２の表示部１０３とを有している。開閉検知センサ１１０は第１の表示面と第２の表示面との位置関係を検知する。姿勢検知センサ１１１は第１の表示面又は第２の表示面の重力方向に対する姿勢を検知する。システム制御部１５０は開閉検知センサの位置検知結果と姿勢検知センサの姿勢検知結果との組み合わせに応じて、第１および第２の表示部の動作を制御する。【選択図】図４
2018066948.tif 000002
【特許請求の範囲】
【請求項１】
第１の表示面を備える第１の表示手段と、
前記第１の表示面に対して、該第１の表示面との位置関係を変更可能な第２の表示面を備える第２の表示手段と、
前記第１の表示面と前記第２の表示面との位置関係を検知する第１の検知手段と、
前記第１の表示面又は前記第２の表示面の重力方向に対する姿勢を検知する第２の検知手段と、
前記第１の検知手段における位置検知結果と前記第２の検知手段における姿勢検知結果との組み合わせに応じて、前記第１の表示手段および前記第２の表示手段の動作を制御する制御手段と、
を有することを特徴とする電子装置。
【請求項２】
前記第１の表示手段は前記第２の表示手段に対して所定の方向に延びる軸の回りに開閉可能に前記第２の表示手段に連結されており、
前記位置検知結果によって、前記第１の表示手段が前記第１の表示面および前記第２の表示面が対向して近接又は当接した全閉位置と前記全閉位置から予め定められた角度だけ回動した全開位置との中間位置に相当する所定の角度範囲まで回動した状態にあるとされた場合に、前記制御手段は、前記姿勢検知結果によって前記軸が前記第１の表示面よりも前記重力方向の上側の位置に位置する状態であると判定すると、前記第１の表示手段による表示を行うことなく前記第２の表示手段による表示を行う制御を実行することを特徴とする請求項１に記載の電子装置。
【請求項３】
前記第１の表示手段が前記所定の角度範囲まで回動した状態にあるとされた場合に、前記制御手段は、前記姿勢検知結果によって前記軸が前記第１の表示面と前記重力方向に対して略同一の位置に位置すると判定すると、前記第２の表示手段による表示を行うことなく前記第１の表示手段による表示を行う制御を実行することを特徴とする請求項１又は２に記載の電子装置。
【請求項４】
前記制御手段は、前記位置検知結果が前記全閉位置を示していると、前記姿勢検知結果に拘わらず、前記第１の表示手段および前記第２の表示手段の動作を停止することを特徴とする請求項１乃至３のいずれか１項に記載の電子装置。
【請求項５】
前記制御手段は、前記第１の表示手段が前記所定の角度範囲まで回動した状態にあるとされた場合に、前記姿勢検知結果によって前記軸が前記第１の表示面よりも前記重力方向の下側の位置に位置する状態であると判定すると、予め定められた優先度に応じて前記第１の表示手段又は前記第２の表示手段による表示を行う制御を実行することを特徴とする請求項１乃至４のいずれか１項に記載の電子装置。
【請求項６】
前記制御手段は、前記位置検知結果によって前記第１の表示手段が前記全開位置に位置する状態にあるとされた場合には、前記姿勢検知結果に拘わらず、予め定められた優先度に応じて前記第１の表示手段又は前記第２の表示手段による表示を行う制御を実行することを特徴とする請求項１乃至５のいずれか１項に記載の電子装置。
【請求項７】
前記第１の表示手段は前記第２の表示手段に対して所定の方向に延びる第１の軸の回りに開閉可能でかつ前記第１の軸に直交する第２の軸の回りに回動可能に前記第２の表示手段に連結されており、
前記第１の検出手段は、前記位置検知結果として前記第１の表示手段の前記第１の軸の回りの開閉位置を検出するとともに、前記第１の表示手段の前記第２の軸の回りの回動位置を検出し、
前記制御手段は、前記第１の表示手段の前記回動位置が基準とする基準回動位置から所定の回動範囲まで回動した位置にある状態で、前記第１の表示手段の開閉位置が前記第１の表示面および前記第２の表示面が対向して近接又は当接した全閉位置と前記全閉位置から予め定められた角度だけ回動した全開位置との中間位置に相当する所定の角度範囲まで回動した状態にあるとされた場合に、前記姿勢検知結果によって前記第１の軸が前記第１の表示面よりも前記重力方向の上側又は下側の位置に位置する状態であると判定すると、前記第２の表示手段による表示を行うことなく前記第１の表示手段による表示を行う制御を実行することを特徴とする請求項１に記載の電子装置。
【請求項８】
前記制御手段は、前記第１の表示手段の前記回動位置が前記所定の回動範囲まで回動した位置にある状態で、前記第１の表示手段の開閉位置が前記所定の角度範囲まで回動した状態にあるとされた場合に、前記姿勢検知結果によって前記第１の軸が前記第１の表示面と略同一の位置に位置すると判定すると、前記第１の表示手段による表示を行うことなく前記第２の表示手段による表示を行う制御を実行することを特徴とする請求項７に記載の電子装置。
【請求項９】
前記制御手段は、前記第１の表示手段の前記回動位置が前記所定の回動範囲まで回動した位置にある状態で、前記開閉位置が前記全閉位置であると、前記第１の表示手段および前記第２の表示手段の動作を停止することを特徴とする請求項７又は８に記載の電子装置。
【請求項１０】
前記制御手段は、前記第１の表示手段の前記回動位置が前記所定の回動範囲まで回動した位置にある状態で、前記開閉位置が前記全開位置であると、予め定められた優先度に応じて前記第１の表示手段又は前記第２の表示手段による表示を行う制御を実行することを特徴とする請求項７乃至９のいずれか１項に記載の電子装置。
【請求項１１】
前記制御手段は、前記第１の表示手段の前記回動位置が前記所定の回動範囲の外に回動した位置にある状態である場合には、前記開閉位置および前記姿勢検知結果に拘わらず、前記第２の表示手段による表示を行うことなく前記第１の表示手段による表示を行う制御を実行することを特徴とする請求項７乃至１０のいずれか１項に記載の電子装置。
【請求項１２】
前記第１の表示面と対向する位置に撮影を行うための撮影レンズが配置されていることを特徴とする請求項１乃至１０のいずれか１項に記載の電子装置。
【請求項１３】
コンピュータを、請求項１乃至１２のいずれか１項に記載された電子装置の各手段として機能させるためのプログラム。
【請求項１４】
コンピュータを、請求項１乃至１２のいずれか１項に記載された電子装置の各手段として機能させるためのプログラムを格納したコンピュータが読み取り可能な記憶媒体。
【発明の詳細な説明】
【技術分野】
【０００１】
本発明は、電子装置、その制御方法、およびプログラム、並びに記憶媒体に関し、特に、複数の表示部を備える電子装置において、表示部の開閉および姿勢に応じた表示制御に関する。
【背景技術】
【０００２】
一般に、複数の表示部を備え、これら複数の表示部の位置関係を変更可能とした電子装置が知られている。例えば、第１の表示部および第２の表示部を回動可能に連結して、第１の表示部の表示面と反対側に撮像面を有する電子装置がある。このような電子装置においては、表示部の各々に互いに異なる情報を表示して比較することが可能である。そして、電子装置がカメラ機能を有する場合には、撮影の際に１つの表示部にスルー画像を表示し、他方の表示部に撮影設定値を表示することができる。このように、複数の表示部を備える電子装置においては、ユーザーの利便性を向上させることができる。
【０００３】
さらには、電子装置の１つである撮像装置において、複数の表示部の相互の位置関係を検知して、当該検知結果に応じて撮影によって得られた画像の表示画像および再生の際における再生画像の表示を切り替え制御するものがある。
【０００４】
例えば、撮像面と反対側に配設された第１の表示部と筐体の上面から突出するように回動可能に配設された第２の表示部を備える撮像装置がある。この撮像装置では回動角度を検知するとともに撮像装置の背面側にユーザーが存在するか否かを検知する。そして、その検知結果に応じて第１および第２の表示部に表示する表示内容を制御している（特許文献１参照）。
【先行技術文献】
【特許文献】
【０００５】
【特許文献１】特開２０１０−４１０９号
【発明の概要】
【発明が解決しようとする課題】
【０００６】
上述の電子装置においては、複数の表示部を備えているので、表示部の数が増加するにつれてその電力消費が大きくなる。また、電子装置を保持するユーザーの姿勢に応じて、優先的に表示を行う表示部を切り替えることがある。このため、ユーザーはその都度必要に応じて、優先的に表示を行う表示部に表示内容の切り替えなければならないことがある。
【０００７】
特許文献１に記載の撮像装置では、表示部の回動角度およびユーザーの有無に応じて表示部の表示内容を制御することが可能である。しかしながら、特許文献１に記載の手法では、撮像内を所謂縦位置に構えた場合又は逆さに構えた場合には、表示内容を適切に制御することができないことがある。
【０００８】
そこで本発明の目的は、複数の表示部に表示される表示内容を適切に制御して、ユーザーの利便性を損なうことなく、かつ電力消費を低減することのできる電子装置、その制御方法、およびプログラム、並びに記憶媒体を提供することにある。
【課題を解決するための手段】
【０００９】
上記の目的を達成するため、本発明による電子装置は、第１の表示面を備える第１の表示手段と、前記第１の表示面に対して、該第１の表示面との位置関係を変更可能な第２の表示面を備える第２の表示手段と、前記第１の表示面と前記第２の表示面との位置関係を検知する第１の検知手段と、前記第１の表示面又は前記第２の表示面の重力方向に対する姿勢を検知する第２の検知手段と、前記第１の検知手段における位置検知結果と前記第２の検知手段における姿勢検知結果との組み合わせに応じて、前記第１の表示手段および前記第２の表示手段の動作を制御する制御手段と、を有することを特徴とする。
【発明の効果】
【００１０】
本発明によれば、複数の表示部（表示手段）に表示される表示内容を適切に制御して、ユーザーの利便性を損なうことなく、かつ電力消費を低減することができる。
【図面の簡単な説明】
【００１１】
【図１】本発明の第１の実施形態による撮像装置の一例についてその外観を示す斜視図である。
【図２】図１に示すカメラのシステム構成を示すブロック図である。
【図３】図１に示すカメラを用いて撮像を行う際の撮像姿勢を説明するための斜視図である。
【図４】図３で説明した回動状態と撮像姿勢との組み合わせに応じた制御の一例を示す図である。
【図５】図３で説明した撮像姿勢と遷移位置および全開位置との組み合わせに応じたカメラの状態を示す図である。
【図６】図２に示すカメラで行われる表示部の表示制御の一例を説明するためのフローチャートである。
【図７】本発明の第２の実施形態による撮像装置の一例についてその外観を示す斜視図である。
【図８】図７に示すカメラのシステム構成を示すブロック図である。
【図９】図８に示すカメラを用いて撮像を行う際の撮像姿勢を説明するための図である。
【図１０】図７に示す第２の表示部の回動状態と撮像姿勢との組み合わせに応じた制御の一例を示す図である。
【図１１】図７に示す第２の表示部が第４の回動状態にある場合の撮像姿勢と全閉位置、遷移位置、および全開位置との組み合わせに応じたカメラの状態を示す図である。
【図１２】図７に示す第２の表示部が第５の回動状態にある場合の撮像姿勢と全閉位置、遷移位置、および全開位置との組み合わせに応じたカメラの状態を示す図である。
【図１３】図８に示すカメラ２００で行われる表示部の表示制御の一例を説明するためのフローチャートである。
【発明を実施するための形態】
【００１２】
以下に、本発明の実施の形態による電子装置の一例について図面を参照して説明する。なお、以下の説明では、電子装置の１つである撮像装置を例に挙げて説明する。
【００１３】
［第１の実施形態］
図１は、本発明の第１の実施形態による撮像装置の一例についてその外観を示す斜視図である。そして、図１（ａ）は撮像装置を背面側からみた状態を示す斜視図であり、図１（ｂ）は撮像装置を前面側からみた状態を示す斜視図である。なお、ここでは、後述する撮影レンズの光軸方向において被写体側を前面側とする。また、上下および左右方向については、撮像装置の背面側（後側）に位置するユーザーを基準とする。
【００１４】
図示の撮像装置（以下カメラと呼ぶ）１００は、撮像装置本体（以下カメラ本体と呼ぶ）１０１を備えており、カメラ本体１０１には所定の方向に延びるヒンジ機構１０５が規定されている。カメラ本体１０１にはヒンジ機構１０５によって第１の表示部１０２が回動可能（開閉可能）に取り付けられている。そして、カメラ装置本体１０１の一面（表面）には第２の表示部１０３が配置されている。また、第１の表示部１０２の裏面側には撮影レンズ１０４が配置されている。
【００１５】
第１の表示部１０２は、ヒンジ機構１０５によって軸線Ｃ１（第１の軸）を中心として所定の「全閉位置」から「全開位置」まで回動自在である。ここでは、「全閉位置」とは、第１の表示部１０２が第２の表示部１０３に対向して近接又は当接する位置をいう。「全開位置」とは「全閉位置」から第１の表示部１０２を開方向に１８０度回動した位置をいう。つまり、第１の表示部１０２は、「全閉位置」から１８０度回動可能である。なお、「全閉位置」からの回動角度をθｃ１とする。
【００１６】
なお、第１の実施形態では、第１の表示部１０２が第１の表示手段に対応し、第２の表示部１０３が第２の表示手段に対応する。
【００１７】
図２は、図１に示すカメラのシステム構成を示すブロック図である。
【００１８】
カメラ１００は、カメラ１００全体を制御するシステム制御部１５０を有している。ここでは、システム制御部１５０は、画像処理部１０７、記録媒体１０８、操作部１０９、開閉検知センサ１１０、姿勢検知センサ１１１、第１の表示部１０２、および第２の表示部１０３に接続され、これら各ブロックを制御する。
【００１９】
ＲＯＭなどの不揮発性メモリ１５１には、システム制御部１５０で実行される各種プログラムが格納されており、ＲＡＭなどの揮発性メモリ１５２は、システム制御部１５０の作業用メモリなどとして用いられる。
【００２０】
カメラ１００は撮像素子１０６を備えており、撮像素子１０６は、光電変換によって、撮影レンズ１０４を介して入射した被写体像（光学像）に応じた電気信号（アナログ信号）を生成する。そして、撮像素子１０６は当該アナログ信号をＡ／Ｄ変換によって画像データとして画像処理部１０７に出力する。なお、撮像素子１０６は、例えば、ＣＣＤ又はＣＭＯＳイメージセンサーによって構成される。
【００２１】
画像処理部１０７は画像データに対してガンマ／ニー処理、フィルタ処理、およびモニタ表示用情報合成処理などの所定の画像処理を行う。さらに、画像処理部１０７は、ＪＰＥＧなどの画像データ圧縮処理を行うようにしてもよい。
【００２２】
記録媒体１０８は、例えば、カメラ本体１０１に着脱可能なフラッシュメモリであり、記録媒体１０８には撮影によって得られた画像データおよび撮影に関する撮影情報などが記録される。操作部１０９は、撮影スイッチなどの操作部材およびタッチパネルを有しており、ユーザーは操作部１０９を操作して各種指令をシステム制御部１５０に与える。
【００２３】
開閉検知センサ１１０は、ヒンジ機構１０５内部又はその近傍に配置され、第１の表示部１０２と第２の表示部１０３とのなす角度θｃ１を検出する。つまり、開閉検知センサ１１０は第１の表示部１０２の開閉位置を示す位置検知結果を出力する。開閉検知センサ１１０は、単一又は複数の接触式スイッチから構成される。なお、開閉検知センサ１１０はホール素子およびフォトインタラプタなどを用いた非接触の検知部であってもよい。
【００２４】
図示の例では、システム制御部１５０は開閉検知センサ１１０の出力（検知結果）に基づいて第１の表示部１０２の回動状態を判定する。例えば、システム制御部１５０は第１の表示部１０２の回動状態として第１乃至第３の回動状態を判定する。第１の回動状態は、角度θｃ１が０度以上で１５度未満である状態（この状態を全閉位置ともいう）をいう。第２の回動状態は角度θｃ１が１５度以上で１７０度未満である状態（以下「遷移位置」ともいう）をいう。また、第３の回動状態は角度θｃ１が１７０度以上で１８０度である状態（この状態を全開位置ともいう）をいう。
【００２５】
なお、遷移位置は、全閉位置と全開位置との中間位置に相当する所定の角度範囲内の位置である。
【００２６】
姿勢検知センサ１１１は、第１の表示部１０２又は第２の表示部１０３の重力方向に対する姿勢を検出して姿勢検知結果を得る。ここでは、姿勢検知センサ１１１として、例えば、回転姿勢検出素子を用いて第１の表示部１０２が軸線Ｃ１を中心として回動した際の姿勢の変化を検知する。なお、姿勢検知センサ１１１として、例えば、加速度センサ又はジャイロセンサなどの姿勢変化を検出可能な他のデバイスを用いるようにしてもよい。
【００２７】
第１の表示部１０２および第２の表示部１０３の各々は、例えば、３．０インチ程度のＴＦＴ液晶パネルである。具体的には、第１の表示部１０２は３．５インチのワイドＴＦＴ液晶パネルであり、第２の表示部１０３は３．０インチのタッチパネル機能付きＴＦＴ液晶パネルである。
【００２８】
図３は、図１に示すカメラ１００を用いて撮像を行う際の撮像姿勢を説明するための斜視図である。そして、図３（ａ）は撮像姿勢の一例を示す図であり、図３（ｂ）は撮像姿勢の他の例を示す図である。
【００２９】
図３（ａ）に示す撮像姿勢では、ヒンジ機構１０５は、角度θｃ１が１２０度である「遷移位置」に回動している。つまり、第１の表示部１０２は角度θｃ１が１２０度に回動している。一方、図３（ｂ）に示す撮像姿勢では、ヒンジ機構１０５は角度θｃ１が１８０度である「全開位置」に回動している。つまり、第１の表示部１０２は「全開位置」となっている。
【００３０】
この際、図３（ａ）および図３（ｂ）に示す撮像姿勢ともに、第１の表示部１０２に対してヒンジ機構１０５が下側の位置となるように、カメラ１００を横位置として保持した状態となっている。以下の説明では、図示の撮像姿勢を「第１の姿勢（姿勢１）と呼ぶ。
【００３１】
そして、「姿勢１」からカメラ１００が縦位置となるように右手を上側の位置、左手を下側の位置となるようにカメラ１００を略９０度傾けた状態を「第２の姿勢（姿勢２）」と呼ぶ。また、カメラ１００が縦位置となるように左手を上側の位置、右手を下側の位置となるようにカメラ１００を略９０度傾けた状態を「第３の姿勢（姿勢３）」と呼ぶ。さらに、「姿勢１」から右手と左手を入れ替えるように、カメラ１００を略１８０度回転させて横位置として保持した状態を「第４の姿勢（姿勢４）」と呼ぶ。
【００３２】
図４は、図３で説明した回動状態と撮像姿勢との組み合わせに応じた制御の一例を示す図である。また、図５は、図３で説明した撮像姿勢と遷移位置および全開位置との組み合わせに応じたカメラ１００の状態を示す図である。なお、図５においては、「遷移位置」の一例として角度θｃ１が１２０度の状態を示すとともに、「全開位置」の一例として角度θｃ１が１８０度の状態を示す。
【００３３】
まず、図４を参照して、「全消灯」とは、第１の表示部１０２および第２の表示部１０３の双方が消灯された状態をいう。ここでは、撮像姿勢に拘わらず、角度θｃ１が０度以上で１５度未満である「全閉位置」の場合、ユーザーは第１の表示部１０２および第２の表示部１０３の確認がほぼ不可能であるとして、システム制御部１５０は「全消灯」の制御を行う。つまり、システム制御部１５０は、第１の表示部１０２および第２の表示部１０３の動作を停止する。
【００３４】
「状態優先制御」とは、撮像姿勢および回動状態の組み合わせに応じて第１の表示部１０２又は第２の表示部１０３を優先させる制御である。また、「デフォルト制御」とは、撮像姿勢および回動状態の組み合わせに拘わらず、予め定められた優先度に応じて行う制御をいう。なお、「状態優先制御」と「デフォルト制御」との優先度の判定が矛盾する場合、システム制御部１５０は「状態優先制御」を「デフォルト制御」に優先して行う。
【００３５】
次に、図５を参照して、撮像姿勢が「姿勢２」又は「姿勢３」であって、回動状態が「遷移位置」の場合には、ユーザーが撮影レンズの裏側に位置する第１の表示部１０２に正対して構えている可能性が高い。この場合には、ユーザーは第２の表示部１０３を確認し難い状態となる。よって、システム制御部１５０は、第１の表示部１０２に画像を表示して（優先表示）、第２の表示部１０３を消灯状態とする「状態優先制御」を行う。なお、「姿勢２」および「姿勢３」は、軸線Ｃ１が重力方向において第１の表示部１０２と略同一の位置にある状態である。
【００３６】
撮像姿勢が「姿勢４」であって、回動状態が「遷移位置」の場合には、ユーザーはカメラ１００を上方に上げて第２の表示部１０３によって画像を確認する所謂ハイアングル撮影の姿勢である可能性が高い。
【００３７】
この場合には、ユーザーは第１の表示部１０２を確認し難い状態となる。よって、システム制御部１５０は、第２の表示部１０３に画像を表示して、第１の表示部１０２を消灯状態とする「状態優先制御」を行う。
【００３８】
なお、「姿勢４」は、軸線Ｃ１が重力方向において第１の表示部１０２よりも上側の位置にある状態である。また、「姿勢１」は、軸線Ｃ１が重力方向において第１の表示部１０２よりも下側の位置にある状態である。
【００３９】
一方、図４に示すように、撮像姿勢と回動状態との組み合わせによって優先度を決定することが困難な状態では、システム制御部１５０は、予め定められた優先度（デフォルト設定）に基づいて「デフォルト制御」を行う。つまり、ここでは、システム制御部１５０は、デフォルト設定に基づいて優先度の高い表示部に画像を表示して、他方の表示部を消灯状態とする。
【００４０】
なお、デフォルト設定は、例えば、表示部の解像度に応じて設定するようにしてもよく、さらには、タッチパネル機能などの付加機能の有無に応じて設定するようにしてもよい。また、デフォルト設定は、画像のアスペクト比とそのアスペクト比が近い表示部を優先して設定するようにしてもよく、視差を考慮して光軸からの距離が近い表示部（ここでは、第１の表示部１０２）を優先して設定するようにしてもよい。
【００４１】
また、図５に示すように、「デフォルト制御」となる撮像姿勢と回動状態との組み合わせにおいては、優先度が低い表示部においても画像の確認が容易なことがある。このため、優先度の低い表示部を消灯することなく、カメラ１００の設定の表示などの操作性を高める補助的な表示を、優先度の高い表示部で行うようにしてもよい。
【００４２】
図６は、図２に示すカメラ１００で行われる表示部の表示制御の一例を説明するためのフローチャートである。なお、図６に示す表示制御は、不揮発性メモリ１５１に記録されたプログラムを揮発性メモリ（ワークメモリ）１５２に展開してシステム制御回路１５０が実行することによって行われる。
【００４３】
表示制御を開始すると、Ｓ６０１で、システム制御部１５０は、開閉検知センサ１１０によってヒンジ機構の位置（つまり、回動角度θｃ１）を検知して、ヒンジ機構（つまり、第１の表示部１０２がいずれの位置にあるかを判定する。ヒンジ機構の位置が遷移位置である場合はＳ６０１に進み、ヒンジ機構の位置が全閉位置である場合はＳ６０２に進む。また、ヒンジ機構の位置が全開位置である場合はＳ６０４に進む。
【００４４】
Ｓ６０１では、システム制御部１５０は、姿勢検知センサ１１１によってカメラ１００の姿勢を検知して、カメラ１００の撮像姿勢を判定する。カメラ１００の撮像姿勢が姿勢１である場合はＳ６０５に進み、カメラ１００の撮像姿勢が姿勢２又は姿勢３である場合はＳ６０６に進む。また、カメラ１００の撮像姿勢が姿勢４である場合はＳ６０７に進む。
【００４５】
Ｓ６０３では、システム制御部１５０は、第１の表示部１０２および第２の表示部１０３を消灯する全消灯を行う。そして、システム制御部１５０は表示制御を終了する。
【００４６】
Ｓ６０４では、システム制御部１５０は、デフォルト設定に応じたデフォルト制御を行う。そして、システム制御部１５０は表示制御を終了する。
【００４７】
Ｓ６０５では、システム制御部１５０は、デフォルト設定に応じたデフォルト制御を行う。そして、システム制御部１５０は表示制御を終了する。
【００４８】
Ｓ６０６では、システム制御部１５０は、第１の表示部１０２を優先する状態優先制御を行う。そして、システム制御部１５０は表示制御を終了する。
【００４９】
Ｓ６０７では、システム制御部１５０は、第２の表示部１０３を優先する状態優先制御を行う。そして、システム制御部１５０は表示制御を終了する。
【００５０】
このように、本発明の第１の実施形態では、第１の表示部１０２の回動位置とカメラ１００の姿勢とに応じて、第１の表示部１０２および第２の表示部１０３の消灯および優先表示を制御する。これによって、ユーザーの利便性を損なうことなく、電力消費を低減することができる。
【００５１】
［第２の実施形態］
図７は、本発明の第２の実施形態による撮像装置の一例についてその外観を示す斜視図である。そして、図７（ａ）は撮像装置を背面側からみた斜視図であり、図７（ｂ）は撮像装置を撮影レンズを外した状態で前面側からみた斜視図である。
【００５２】
なお、ここでは、後述する撮影レンズの光軸方向において被写体側を前面側とする。また、上下および左右方向については、撮像装置の背面側（後側）に位置するユーザーを基準とする。さらに、図７において、図１に示すカメラ同一の構成要素については同一の参照番号を付す。また、第２の実施形態では、第１の表示部１０２が第２の表示手段に対応し、第２の表示部１０３が第１の表示手段に対応する。
【００５３】
図示の撮像装置（以下カメラと呼ぶ）２００は、所謂デジタル一眼レフカメラであり、撮影レンズ１０４がレンズマウント２５０に装着される。レンズマウント２５０の反対側、つまり、カメラ本体１０１の背面側には第１の表示部１０２が配設され、カメラ本体１０１には互いに直交する２軸を有するヒンジ機構２０５が備えられ、当該ヒンジ機構２０５によって第２の表示部１０３がカメラ本体１０１に回動可能に取り付けられている。
【００５４】
第２の表示部１０３は、ヒンジ機構２０５によって軸線Ｃ１（第１の軸）を中心として所定の「全閉位置」から「全開位置」まで回動自在（開閉可能）である。ここでは、「全閉位置」とは、第２の表示部１０３が第１の表示部１０２に対向して近接又は当接する位置をいう。「全開位置」とは「全閉位置」から第２の表示部１０３を開方向に１８０度回動した位置をいう。つまり、第２の表示部１０３は、「全閉位置」から１８０度回動可能である。なお、「全閉位置」からの回動角度（つまり、開閉位置）をθｃ１とする。また、図７に示す例では、第２の表示部が「全開位置」に位置する状態が示されている。
【００５５】
さらに、第２の表示部１０３は、ヒンジ機構２０５によって軸線Ｃ２（第２の軸）を中心として、図７（ａ）に示す状態を０度（基準回動位置）として、−９０度から１８０度まで回動自在である。そして、図７（ａ）に示す状態から第２の表示部１０３の表示面を上面側に向ける回動方向をプラス方向とし、下面側に向ける回動方向をマイナス方向とする。また、図７（ａ）に示す状態から軸線Ｃ２回りの回動角度をθｃ１とする。
【００５６】
図８は、図７に示すカメラのシステム構成を示すブロック図である。なお、図８において、図２に示すカメラと同一の構成要素については同一の参照番号を付す。
【００５７】
図示のカメラ２００は、回転検知センサ１１２を有しており、当該回転検知センサ１１２はトステム制御部１５０に接続されている。回動検知センサ１１２は、開閉検知センサ１１０と同様にヒンジ機構２０５内部又はその近傍に配置されて、第２の表示部１０３の回動角度θｃ２を検知する。回動検知センサ１１２は、単一又は複数の接触式スイッチから構成される。なお、回動検知センサ１１２はホール素子およびフォトインタラプタなどを用いた非接触の検知部であってもよい。
【００５８】
図示の例では、システム制御部１５０は回動検知センサ１１２の出力（検知結果）に基づいて第２の表示部１０３における軸線Ｃ２回りの回動状態（つまり、回動位置）を判定する。例えば、システム制御部１５０は第２の表示部１０２の軸線Ｃ２回りの回動状態として第４および第５の回動状態を判定する。
【００５９】
第４の回動状態は、回動角度θｃ２が−１５度以上で１５度未満である状態をいう。つまり、第４の回動状態は、第２の表示部１０３が所定の回動範囲に位置する状態をいう。第５の回動状態は回動角度θｃ２がそれ以外の角度、つまり、−９０度以上で−１５度未満又は１５度以上で１８０度以下である状態をいう。
【００６０】
なお、ここでは、システム制御部１５０は開閉検知センサ１１０の出力に基づいて、第２の表示部１０３が前述の第１乃至第３の回動状態のいずれにあるかを判定することになる。
【００６１】
図９は、図８に示すカメラ２００を用いて撮像を行う際の撮像姿勢（カメラ姿勢）を説明するための図である。そして、図９（ａ）は撮像姿勢の一例を示す図であり、図９（ｂ）は撮像姿勢の他の例を示す図である。また、図９（ｃ）は撮像姿勢のさらに他の例を示す図である。
【００６２】
図９（ａ）に示す撮像姿勢では、カメラ２００のグリップ部２５１（図７参照）を右手、レンズマウント２５０に装着された撮影レンズを左手で保持している。つまり、ユーザーはカメラ２００を所謂正位置として保持して、光学ファインダー２５２（図７参照）に接眼して撮影を行っている。第２の実施形態においては当該撮像姿勢を「姿勢１」と呼ぶ。
【００６３】
図９（ｂ）に示す撮像姿勢では、グリップ部２５１を右手、撮影レンズを左手で保持して、カメラ２００をグリップ部２５１側を下側とした縦位置として保持して、ユーザーは光学ファインダー２５２に接眼している。第２の実施形態においては当該撮像姿勢を「姿勢２」と呼ぶ。
【００６４】
図９（ｃ）に示す撮像姿勢では、グリップ部２５１を右手、撮影レンズを左手で保持して、カメラ２００をグリップ部２５１側を上側とした縦位置として保持して、ユーザーは光学ファインダー２５２に接眼している。第２の実施形態においては当該撮像姿勢を「姿勢３」と呼ぶ。
【００６５】
ところで、一般に、デジタル一眼レフカメラにおいては、グリップ部２５１を右手で把持して、撮影スイッチ２５３（図７参照）に右手人差し指を置いた姿勢で撮影を行う。このため、第１の実施形態で説明した「姿勢４」のように、ユーザーが右手と左手とを入れ替えた撮像姿勢をとる可能性は少ない。よって、第２の実施形態においては、「姿勢４」を考慮しない。
【００６６】
図１０は、図７に示す第２の表示部の回動状態と撮像姿勢との組み合わせに応じた制御の一例を示す図である。また、図１１は、図７に示す第２の表示部が第４の回動状態にある場合の撮像姿勢と全閉位置、遷移位置、および全開位置との組み合わせに応じたカメラ２００の状態を示す図である。さらに、図１２は、図７に示す第２の表示部が第５の回動状態にある場合の撮像姿勢と全閉位置、遷移位置、および全開位置との組み合わせに応じたカメラ２００の状態を示す図である。
【００６７】
なお、図１１および図１２においては、「全閉位置」の一例として角度θｃ１が０度の状態を示し、「遷移位置」の一例として角度θｃ１が９０度の状態を示す。また、「全開位置」の一例として角度θｃ１が１８０度の状態を示す。さらに、図１１では、第４の回動状態の一例として角度θｃ２が０度の状態を示し、図１２では、第５の回動状態の一例として角度θｃ２が１８０度の状態を示す。
【００６８】
まず、図１０を参照して、「全消灯」とは、第１の表示部１０２および第２の表示部１０３の双方が消灯された状態をいう。「状態優先制御」とは、撮像姿勢および回動状態の組み合わせに応じて第１の表示部１０２又は第２の表示部１０３を優先させる制御である。また、「デフォルト制御」とは、撮像姿勢および回動状態の組み合わせに拘わらず、予め定められた優先度に応じて行う制御をいう。なお、「状態優先制御」と「デフォルト制御」との優先度の判定が矛盾する場合、システム制御部１５０は「状態優先制御」を「デフォルト制御」に優先して行う。
【００６９】
次に、図１１を参照して、角度θｃ１が「全閉位置」の場合には、撮像姿勢に拘わらず、ユーザーが第１の表示部１０２および第２の表示部１０３を確認することはほぼ不可能であるので、システム制御部１５０は「全消灯」に制御する。
【００７０】
撮像姿勢が「姿勢１」であって、角度θｃ１が「遷移位置」の場合、ユーザーが第１の表示部１０２に正対して構える可能性が高い。このため、ユーザーは第２の表示部１０３を確認し難い状態となる。よって、システム制御部１５０は、第１の表示部１０２に画像を優先表示して、第２の表示部１０３を消灯状態とする「状態優先制御」を行う。
【００７１】
なお、第２の実施形態において、「姿勢１」は軸線Ｃ１が重力方向において第１の表示部１０２（第２の実施形態においては、第２の表示手段）と略同一の位置にある状態である。
【００７２】
撮像姿勢が「姿勢２」であって、角度θｃ１が「遷移位置」の場合、ユーザーはカメラ２００を上方に上げて第２の表示部１０３で画像を確認する所謂ハイアングル撮影の姿勢である可能性が高い。このため、ユーザーは第１の表示部１０２を確認し難い状態となる。よって、システム制御部１５０は、第２の表示部１０３に画像を優先表示して、第１の表示部１０２を消灯状態とする「状態優先制御」を行う。
【００７３】
なお、第２の実施形態において、「姿勢２」は軸線Ｃ１が重力方向において第１の表示部１０２（第２の実施形態においては、第２の表示手段）よりも上側の位置にある状態である。
【００７４】
撮像姿勢が「姿勢３」であって、角度θｃ１が「遷移位置」の場合、ユーザーはカメラ２００を下方側に保持して第２の表示部１０３で画像を確認する所謂ローアングル撮影の姿勢である可能性が高い。このため、ユーザーは第１の表示部１０２を確認し難い状態となる。よって、システム制御部１５０は、第２の表示部１０３に画像を優先表示して、第１の表示部１０２を消灯状態とする「状態優先制御」を行う。
【００７５】
なお、第２の実施形態において、「姿勢３」は軸線Ｃ１が重力方向において第１の表示部１０２（第２の実施形態においては、第２の表示手段）よりも下側の位置にある状態である。
【００７６】
角度θｃ１が「全開位置」の場合、撮像姿勢と回動状態との組み合わせによっては表示部の優先度を決定することは困難である。よって、システム制御部１５０はデフォルト設定に応じた「デフォルト制御」を行う。つまり、システム制御部１５０はデフォルト設定による優先度の高い表示部に画像を表示し、他方の表示部を消灯状態とする。
【００７７】
なお、角度θｃ１が「全開位置」の場合、ユーザーは優先度を低く設定した表示部の確認が容易な状態であることがある。よって、システム制御部１５０は優先度の低い表示部を消灯することなく、当該表示部にカメラ２００の設定表示などの操作性を高める補助的な表示を行うようにしてもよい。
【００７８】
続いて、図１２を参照して、角度θｃ１が「全閉位置」の場合、ユーザーは撮像姿勢に拘わらず、第１の表示部１０２を確認することがほぼ不可能である。よって、システム制御部１５０は第２の表示部１０３に画像を優先表示して、第１の表示部１０２を消灯状態とする「状態優先制御」を行う。
【００７９】
角度θｃ１が「遷移位置」又は「全開位置」の場合、第２の表示部１０３を角度θｃ２が−１５以上で１５度未満以外の位置に回動すると、第２の表示部１０３をカメラ２００の背面側から確認し難い状態となる。あえて、このような回動を行う場合には、ユーザーが第２の表示部１０３をカメラ２００の背面側以外にいる者（ユーザー自身を含む）に観察可能とさせる意図があると考えられる。具体的には、撮影レンズをユーザーに向けて撮影を行う所謂自撮りといわれる撮影、ハイアングル撮影、ローアングル撮影、又は特殊な姿勢における撮影で上記の回動が行われると考えられる。また、撮影によって得られた画像を再生して被写体などに提示する場合においても、上記の回動が行われると考えられる。
【００８０】
上記のケースに共通する点は、第２の表示部１０３を優先して観察する状況下である。この点を考慮して、システム制御部１５０は第２の表示部１０３に画像を優先表示し、第１の表示部１０２を消灯状態とする「状態優先制御」を行う。
【００８１】
図１３は、図８に示すカメラ２００で行われる表示部の表示制御の一例を説明するためのフローチャートである。
【００８２】
なお、図１３に示す表示制御は、不揮発性メモリ１５１に記録されたプログラムを揮発性メモリ１５２に展開してシステム制御回路１５０が実行することによって行われる。また、図１３において、図６に示すフローチャートのステップと同一のステップについては同一の参照符号を付して説明を省略する。
【００８３】
表示制御を開始すると、Ｓ１３０１で、システム制御部１５０は、回転検知センサ１１２によってヒンジ機構の回動角度θｃ２を検知して、第２の表示部１０３が第４および第５の状態のいずれであるかを判定する。第２の表示部１０３が第４の状態である場合（θｃ２＝−１５〜１５度の場合）は前述のステップＳ６０１に進む。第２の表示部１０３が第５の状態である場合（θｃ２＝−９０〜−１５度又は１５〜１８０度の場合）はステップＳ１３０２に進む。なお、第２の実施形態では、Ｓ６０１において、第２の表示部１０３が全閉位置、遷移位置、および全開位置のいずれであるかが判定される。
【００８４】
Ｓ１３０２では、システム制御部１５０は、第２の表示部１０３を優先する状態優先制御を行う。そして、システム制御部１５０は表示制御を終了する。
【００８５】
第２の表示部１０３が遷移位置である場合はＳ６０２に進む。第２の表示部１０３が全閉位置である場合はＳ６０３に進む。その後、システム制御部１５０は表示制御を終了する。第２の表示部１０３が全開位置である場合はＳ６０４に進む。その後、システム制御部１５０は表示制御を終了する。
【００８６】
カメラ２００の撮像姿勢が姿勢１である場合はＳ１３０３に進み、カメラ２００の撮像姿勢が姿勢２又は姿勢３である場合はＳ１３０４に進む。
【００８７】
Ｓ１３０３では、システム制御部１５０は、第１の表示部１０２を優先する状態優先制御を行う。そして、システム制御部１５０は表示制御を終了する。
【００８８】
Ｓ１３０４では、システム制御部１５０は、第２の表示部１０３を優先する状態優先制御を行う。そして、システム制御部１５０は表示制御を終了する。
【００８９】
このように、本発明の第２の実施形態においは、第２の表示部１０２の軸線Ｃ１およびＣ２回りの回動位置とカメラ２００の姿勢とに応じて、第１の表示部１０２および第２の表示部１０３の消灯および優先表示を制御する。これによって、ユーザーの利便性を損なうことなく、電力消費を低減することができる。
【００９０】
以上、本発明の好ましい実施形態について説明したが、本発明はこれらの実施形態に限定されず、その要旨の範囲内で種々の変形及び変更が可能である。
【００９１】
なお、システム制御部１５０が行うものとして説明した上述の各種制御は、１つのハードウェアが行ってもよいし、複数のハードウェアが処理を分担することで、装置全体の制御を行ってもよい。
【００９２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９３】
また、上述した実施形態においては、本発明を電子装置の１つである撮像装置に適用した場合を例にして説明したが、これはこの例に限定されず、複数の表示部を備える電子装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、ゲーム機、電子ブックリーダー、タブレット端末、スマートフォン、投影装置、ディスプレイを備える家電装置や車載装置などに適用可能である。
【００９４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１０２，１０３  表示部
１０４  撮影レンズ
１０６  撮像素子
１０７  画像処理部
１１０  開閉検知センサ
１１１  姿勢検知センサ
１１２  回転検知センサ
１５０  システム制御部
１５１  不揮発性メモリ
１５２  揮発性メモリ
【図１】
2018066948.tif 000003
【図２】
2018066948.tif 000004
【図３】
2018066948.tif 000005
【図４】
2018066948.tif 000006
【図５】
2018066948.tif 000007
【図６】
2018066948.tif 000008
【図７】
2018066948.tif 000009
【図８】
2018066948.tif 000010
【図９】
2018066948.tif 000011
【図１０】
2018066948.tif 000012
【図１１】
2018066948.tif 000013
【図１２】
2018066948.tif 000014
【図１３】
2018066948.tif 000015